(57)【要約】【課題】  無線周波認識システムを携帯電話に応用して出入管理と安全報告を行なうシステム装置の提供。【解決手段】  ＲＦタグを具えた携帯電話と、ＲＦタグを具えた携帯電話を検出し該ＲＦタグを駆動して作動させ並びに携帯電話に情報を発送させるＲＦタグリーダーと、ＲＦタグを具えた携帯電話が発射した情報を受け取り、且つネットワークインタフェースにより情報を所定の通知すべき人員に通知する電信システムと、を具えている。【選択図】        図１
2006148848.tif 000002
【特許請求の範囲】
【請求項１】
ＲＦタグを具えた携帯電話と、
ＲＦタグを具えた携帯電話を検出し該ＲＦタグを駆動して作動させ並びに携帯電話に情報を発送させるＲＦタグリーダーと、
ＲＦタグを具えた携帯電話が発射した情報を受け取り、且つネットワークインタフェースにより情報を所定の通知すべき人員に通知する電信システムと、
を具えたことを特徴とする、無線周波認識システムを携帯電話に応用して出入管理と安全報告を行なうシステム装置。
【請求項２】
請求項１記載の無線周波認識システムを携帯電話に応用して出入管理と安全報告を行なうシステム装置において、ＲＦタグが携帯電話のＳＩＭカード、プリント基板、外接式メモリカード、ディスプレイスクリーン、専属電池或いはケース中のいずれかに設置されたことを特徴とする、無線周波認識システムを携帯電話に応用して出入管理と安全報告を行なうシステム装置。
【請求項３】
請求項１記載の無線周波認識システムを携帯電話に応用して出入管理と安全報告を行なうシステム装置において、電信システムが使用するネットワークインタフェースが、無線通信プロトコル（ＷＡＰ）、パケット通信（ＧＰＲＳ）、ＰＨＳシステム、第３世代携帯電話システム（３Ｇ）及びインターネットのいずれかとされたことを特徴とする、無線周波認識システムを携帯電話に応用して出入管理と安全報告を行なうシステム装置。
【請求項４】
請求項３記載の無線周波認識システムを携帯電話に応用して出入管理と安全報告を行なうシステム装置において、インターネットの発送する情報が、電子メール、ショートメッセージサービス（ＳＭＳ）、マルチメディアサービス（ＭＭＳ）のいずれかとされたことを特徴とする、無線周波認識システムを携帯電話に応用して出入管理と安全報告を行なうシステム装置。
【請求項５】
請求項４記載の無線周波認識システムを携帯電話に応用して出入管理と安全報告を行なうシステム装置において、マルチメディアサービスがビデオ（Ｖｉｄｅｏ）、及び、オーディオ（Ａｕｄｉｏ）のサービスを包含することを特徴とする、無線周波認識システムを携帯電話に応用して出入管理と安全報告を行なうシステム装置。
【発明の詳細な説明】
【技術分野】
【０００１】
本発明は一種の無線周波認識システムを携帯電話に応用して出入管理と安全報告を行なうシステム装置に係り、特に、携帯電話中にＲＦタグがビルトインされ、該携帯電話を保持する人員（例えば学童）が指定されたエリア或いは位置（例えば学校）に出入りする時、携帯電話内のＲＦタグが指定エリアに設置されたＲＦタグリーダーの感応を受けて駆動され、該ＲＦタグが携帯電話を駆動してショートメッセージを所定システム（例えば電信業者）或いは人員（例えば家長）に発送し、該携帯電話を保持する人員の出入管理と安全報告等に関する作業を達成するシステム装置に関する。
【背景技術】
【０００２】
学校の安全は重視する値があるが、現在の工業商業が発達した社会にあって、家長の大半は自分で子供を学校に送り迎えできない。このため学童は歩いて或いは公共の交通工具に乗って通学する場合が多い。ただし通学の途中で、誘拐に遇うことがあり、幼い学童のいる家族はその安全に対する心配が倍増する。このため多くの家長は学童の安全を保護するためにできるだけの措置を採ろうと尽力している。
【０００３】
現在、すでに学童の通学の過程での安全に対して、一種の安全システムが業者により提供されている。それはＲＦタグ（ＲＦＩＤ）システムを利用して学童が安全に学校を出入りしたか追跡するもので、具体的には学童がＲＦタグシステムを具えた認識証を携帯し、学校の門或いは教室の入口にＲＦタグリーダーが設置され、学童が学校或いは教室を出る時に、ＲＦタグを具えた認識証を取り出して、それをＲＦタグリーダーに読み取らせ、該学童の認識証内に構築された個人認識データを電子データに変換し、学校に取り付けられたコンピュータサーバーにより処理し、更にネットワークを通してデータを電信業者に送り、電信業者が携帯電話のショートメッセージを発送して学童の家長に告知し、学童の学校の出入の時間が何時であるかを確認させ、学童の安全を監視する目的を達成するというものである。ただしこのようなＲＦ認識システムには以下のような欠点がある。
１．学童はＲＦタグシステムを具えた認識証を身につけていなければならず、学童の友人間で注目を集め、単独で認識証を身につけていると、その他の学童の笑い物になる可能性があり、大幅に学童の装着の意欲を削ぐ。
２．学校或いは教室に出入する時、主動的にＲＦタグシステムを具えた認識証を取り出して、ＲＦタグリーダーにより読み取らせなければならないが、学童の好奇心は強く、ルールにしたがって認識証を取り出し感応させるプロセスは明らかに困難で要求しにくい。しかし認識証を読み取らせる動作を行なわねば、ＲＦ認識システムはその作用を発揮できない。
３．ＲＦ認識システムを応用する時、学校内にはＲＦタグリーダー及びコンピュータサーバーを設置しなければならず、専門家により維持管理が必要であるが、ＲＦ認識システム業者が作業員を派遣して維持管理する時、少なからぬコストがかかり、学校内で編成された人員により維持する場合は、その合法性と正当性に問題が生じる。これもまた無線認識システムが普及しにくい原因となっている。
【０００４】
以上の欠点から、この周知の技術は学童の安全の問題を解決できるものの、実行上、困難性を有するため克服が待たれている。本発明はこの周知の技術の欠点を克服し、家長に学童の構内における行動を掌握させることができる。
【発明の開示】
【発明が解決しようとする課題】
【０００５】
本発明は上述の周知の技術の欠点に基づき、一種の無線周波認識システムを携帯電話に応用して出入管理と安全報告を行なうシステム装置を提供を提供することを目的とし、それは、携帯電話中にＲＦタグがビルトインされ、該携帯電話を保持する人員（例えば学童）が指定されたエリア或いは位置（例えば学校）に出入りする時、携帯電話内のＲＦタグが指定エリアに設置されたＲＦタグリーダーの感応を受けて駆動され、該ＲＦタグが携帯電話を駆動してショートメッセージを所定システム（例えば電信業者）或いは人員（例えば家長）に発送し、該携帯電話を保持する人員の出入管理と安全報告等に関する作業を達成するシステム装置であるものとする。
【０００６】
本発明はまた、一種の無線周波認識システムを携帯電話に応用して出入管理と安全報告を行なうシステム装置を提供することを目的とし、それは、携帯電話が相当に普及した電子製品であり、且つ学童の行方を心配する家長は学童に携帯電話を与えており、学童の通学期間に学童と通話を行なうのに便利で、学童の情況を掌握、了解でき、携帯電話は学童が携帯するのを喜ぶ製品であり、且つ取り出してＲＦタグリーダーによる感応動作を行なう必要がなく、周知の技術のように読み取りに遺漏が発生せず、無線周波認識システムと家長による掌握に役立つことを利用したシステム装置であるものとする。
【０００７】
本発明は更に、一種の無線周波認識システムを携帯電話に応用して出入管理と安全報告を行なうシステム装置を提供することを目的とし、それは、携帯電話業者が全体の電信ネットワークを架設することで、情報伝送の作業を相当に簡単に行なうことができ、且つ該ネットワークの維持は電信業者が完成し、これにより無線周波認識システムが電信業者と結合された後に、僅かの合理的な費用を電信業者に支払うだけで全体システムの運転を保持できるシステム装置であるものとする。
【課題を解決するための手段】
【０００８】
請求項１の発明は、ＲＦタグを具えた携帯電話と、
ＲＦタグを具えた携帯電話を検出し該ＲＦタグを駆動して作動させ並びに携帯電話に情報を発送させるＲＦタグリーダーと、
ＲＦタグを具えた携帯電話が発射した情報を受け取り、且つネットワークインタフェースにより情報を所定の通知すべき人員に通知する電信システムと、
を具えたことを特徴とする、無線周波認識システムを携帯電話に応用して出入管理と安全報告を行なうシステム装置としている。
請求項２の発明は、請求項１記載の無線周波認識システムを携帯電話に応用して出入管理と安全報告を行なうシステム装置において、ＲＦタグが携帯電話のＳＩＭカード、プリント基板、外接式メモリカード、ディスプレイスクリーン、専属電池或いはケース中のいずれかに設置されたことを特徴とする、無線周波認識システムを携帯電話に応用して出入管理と安全報告を行なうシステム装置としている。
請求項３の発明は、請求項１記載の無線周波認識システムを携帯電話に応用して出入管理と安全報告を行なうシステム装置において、電信システムが使用するネットワークインタフェースが、無線通信プロトコル（ＷＡＰ）、パケット通信（ＧＰＲＳ）、ＰＨＳシステム、第３世代携帯電話システム（３Ｇ）及びインターネットのいずれかとされたことを特徴とする、無線周波認識システムを携帯電話に応用して出入管理と安全報告を行なうシステム装置としている。
請求項４の発明は、請求項３記載の無線周波認識システムを携帯電話に応用して出入管理と安全報告を行なうシステム装置において、インターネットの発送する情報が、電子メール、ショートメッセージサービス（ＳＭＳ）、マルチメディアサービス（ＭＭＳ）のいずれかとされたことを特徴とする、無線周波認識システムを携帯電話に応用して出入管理と安全報告を行なうシステム装置としている。
請求項５の発明は、請求項４記載の無線周波認識システムを携帯電話に応用して出入管理と安全報告を行なうシステム装置において、マルチメディアサービスがビデオ（Ｖｉｄｅｏ）、及び、オーディオ（Ａｕｄｉｏ）のサービスを包含することを特徴とする、無線周波認識システムを携帯電話に応用して出入管理と安全報告を行なうシステム装置としている。
【発明の効果】
【０００９】
本発明と伝統的な学童にＲＦＩＤシステムの認識証を携帯させる方法を比較すると、以下のような長所があることが分かる。
１．携帯電話は相当に普及した電子製品であり、且つ学童の行方を心配する家長は学童に携帯電話を与えており、学童の通学期間に学童と通話を行なうのに便利で、学童の情況を掌握、了解でき、また、携帯電話は学童が携帯するのを喜ぶ製品であり、且つ取り出してＲＦタグリーダーによる感応動作を行なう必要がなく、周知の技術のように読み取りに遺漏が発生せず、無線周波認識システムと家長による掌握に役立つ。
２．携帯電話業者が架設した全体の電信ネットワークを通して、情報伝送の作業を相当に簡単に行なうことができ、且つ該ネットワークの維持は電信業者が完成し、これにより無線周波認識システムが電信業者と結合された後に、僅かの合理的な費用を電信業者に支払うだけで全体システムの運転を保持できる。
３．ＲＦタグと携帯電話が結合された後、携帯電話にビルトインされた電池で電源供給してＲＦタグを電源アクティブ式或いは半アクティブ式のモードとなし、並びにＲＦタグの感応距離を無電源のパッシブ式のものに比べて数倍とすることができる。
４．ＲＦタグのアンテナ部分は携帯電話のアンテナにより作動し、即ちＲＦタグの携帯電話内の結合の空間を節約でき、且つＲＦ信号の送受信を良好とすることができる。
５．ＲＦタグを具えた携帯電話は、ＲＦタグとその他の無線ネットワークの結合により、そのアプリケーション層面が無限に増加する可能性がある。
【発明を実施するための最良の形態】
【００１０】
図１は本発明の無線周波認識システムを携帯電話に応用して出入管理と安全報告を行なうシステム装置の機能ブロック図である。そのうち、ＲＦタグリーダー１１は学校或いは教室の出入り口に取り付けられ、ＲＦタグリーダー１１はＲＦタグ１２１の無線認識が行なえる装置とされる。本発明は第１携帯電話１２の内部に、ＲＦタグ１２１設置され、該ＲＦタグ１２１は極めて薄く短小であるため、携帯電話の任意の部品中に設置可能であり、ＲＦタグ１２１は携帯電話のＳＩＭカード、プリント基板、外接式メモリカード、ディスプレイスクリーン、専属電池或いはその他の携帯電話の部品中に設置可能であり、ＲＦタグ１２１の設置位置に制限はない。図２、３、４、５は前述のＲＦタグ１２１の第１携帯電話１２における設置可能な位置を示すが、当然これらの位置に制限されるわけではなく、第１携帯電話１２の任意の部品に設置されうる。
【００１１】
第１携帯電話１２を携帯する人員が学童であるとすると、学童が該第１携帯電話１２を携帯して学校或いは教室に進入する時、該第１携帯電話１２内のＲＦタグ１２１が学校或いは教室のＲＦタグリーダー１１の感応により駆動され、ＲＦタグ１２１が第１携帯電話１２を駆動して所定信号を電信業者１３に発送させる。電信業者１３はその架設した電信システム（無線ネットワーク）により情報発送の作業を行ない、電信システムが使用するネットワークインタフェースは、無線通信プロトコル（ＷＡＰ）、パケット通信（ＧＰＲＳ）、ＰＨＳシステム、第３世代携帯電話システム（３Ｇ）及びインターネット１６等とされうる（電信システムのネットワークインタフェースは非常に多く、このため図面には一々表示せず、代表的なもののみ列挙した。）。且つ前述のネットワークインタフェースの発射する情報の種類は、電子メール、ショートメッセージサービス（ＳＭＳ）１４、マルチメディアサービス（ＭＭＳ）１５等（ネットワークインタフェースの発射する情報の種類は非常に多く、このため図面には一々表示せず、代表的なもののみ列挙した。）とされ、該マルチメディアサービスはビデオ（Ｖｉｄｅｏ）、及び、オーディオ（Ａｕｄｉｏ）のサービスを包含する。上述のネットワークシステム及び異なる情報の種類により、学童の家長或いは一般の学校の管理者は第２携帯電話１７、第３携帯電話１８及びコンピュータ１９により関係する学校進出の情報を獲得でき、これにより携帯電話保持人員（学童）の出入管理と安全報告等に係る作業を行なうことができる。
【００１２】
総合すると、本発明の構造特徴及び各実施例はいずれも詳細に提示され、十分に本発明が目的及び機能において実施上の進歩性と産業上の利用価値を有することが示された。且つ本発明は市場において未だ見られず、特許の要件に符合する。なお、上述の実施例は本発明の範囲を限定するものではなく、本発明の特許請求の範囲の記載に基づきなしうる細部の修飾或いは変化は、いずれも本発明の特許請求の範囲に属するものとする。
【図面の簡単な説明】
【００１３】
【図１】本発明の無線周波認識システムを携帯電話に応用して出入管理と安全報告を行なうシステム装置の機能ブロック図である。
【図２】本発明のＲＦタグが携帯電話のＳＩＭカードに設置された構造表示図である。
【図３】本発明のＲＦタグが携帯電話のプリント基板に設置された構造表示図である。
【図４】本発明のＲＦタグが携帯電話の後部カバーに設置された構造表示図である。
【図５】本発明のＲＦタグが携帯電話の電池に設置された構造表示図である。
【符号の説明】
【００１４】
１１  ＲＦタグリーダー
１２  第１携帯電話
１２１  ＲＦタグ
１３  電信業者
１４  ショートメッセージサービス
１５  マルチメディアサービス
１６  インターネット
１７  第２携帯電話
１８  第３携帯電話
１９  コンピュータ
２  ＳＩＭカード
３  プリント基板
４１  後部カバー
４２  携帯電話本体
５１  電池
５２  携帯電話本体
【図１】
2006148848.tif 000003
【図２】
2006148848.tif 000004
【図３】
2006148848.tif 000005
【図４】
2006148848.tif 000006
【図５】
2006148848.tif 000007